(57)【要約】【課題】線材の折り曲げで形成されている抜け止め部材に、切欠凹部からのリンクの抜け出しを防止できる充分に大きな強度を付与できる仮設物用吊りチェーンのフックを提供すること。【解決手段】仮設物を吊るための吊りチェーンに設けられたフック１２は、吊りチェーンのリンク１１Ａを挿入係止する切欠凹部１４が形成されたフック本体１３に、リンク１１Ａが切欠凹部１４から抜け出ることを防止するために、ばね特性を有する抜け止め部材２０を切欠凹部１４の開口部１４Ａを塞いで配置することにより構成され、線材の折り曲げ品であって屈曲端部２０Ａ，２０Ｂが回動中心部となっている抜け止め部材２０には、リンク１１Ａが切欠凹部１４から抜け出ようとして抜け止め部材２０に当たった際に引っ張り力が作用する部分となっている延出部２０Ｄが設けられている。【選択図】図８
2014001578.tif 000002
【特許請求の範囲】
【請求項１】
仮設物を吊るための吊りチェーンに設けられたフック本体と、このフック本体に、前記吊りチェーンのリンクを挿入係止するために形成された切欠凹部と、この切欠凹部に挿入係止された前記リンクが前記切欠凹部から抜け出ることを防止するために、前記切欠凹部の開口部を塞いで前記フック本体に配置された抜け止め部材と、を含んで構成された仮設物用吊りチェーンのフックであって、
前記切欠凹部の両側が前記フック本体の主部と副部とになっており、前記主部に形成された孔に、線材の折り曲げで形成された前記抜け止め部材の両端部が回動中心部となって回動自在に挿入されているとともに、前記抜け止め部材の一部が、この抜け止め部材のばね特性により前記切欠凹部を形成している前記副部の内面に弾性的に当接する当接部となっている仮設物用吊りチェーンのフックにおいて、
前記抜け止め部材における前記当接部から前記回動中心部の側へ延びている延出部が、前記切欠凹部に挿入係止された前記リンクがこの切欠凹部から抜け出ようとして前記抜け止め部材に当たった際に引っ張り力が作用する部分となっていることを特徴とする仮設物用吊りチェーンのフック。
【請求項２】
請求項１に記載の仮設物用吊りチェーンのフックにおいて、前記延出部は、前記当接部から前記副部の外側へ向かって直線状又は略直線状に延びている部分となっていることを特徴とする仮設物用吊りチェーンのフック。
【請求項３】
請求項１又は２に記載の仮設物用吊りチェーンのフックにおいて、前記延出部と前記回動中心部との間に、湾曲したアーチ形状部が設けられ、このアーチ形状部は、前記切欠凹部の内側へ湾曲突出した部分となっていることを特徴とする仮設物用吊りチェーンのフック。
【請求項４】
請求項３に記載の仮設物用吊りチェーンのフックにおいて、前記延出部と前記回動中心部との間の全部が、前記延出部と前記アーチ形状部との接続部及び前記アーチ形状部と前記回動中心部との接続部を除き、前記アーチ形状部となっていることを特徴とする仮設物用吊りチェーンのフック。
【請求項５】
請求項１〜４のいずれかに記載の仮設物用吊りチェーンのフックにおいて、前記延出部は、前記フック本体の厚さ方向の両側にあり、２個の前記延出部同士は、前記副部を間に挟んで互いに対面していることを特徴とする仮設物用吊りチェーンのフック。
【発明の詳細な説明】
【技術分野】
【０００１】
本発明は、仮設足場が構築される建築作業現場等で用いられる仮設物用吊りチェーンのフックに係り、例えば、仮設足場等のための仮設物を吊るために用いることができるものである。
【背景技術】
【０００２】
仮設足場が構築される建築作業現場や解体作業現場、さらには土木作業現場等では、仮設足場等を構成する仮設物を吊るための吊りチェーンが用いられ、この吊りチェーンにはフックが設けられている。このフックは、フック本体と、このフック本体に、吊りチェーンのリンクを挿入係止するために形成された切欠凹部と、この切欠凹部に挿入係止されたリンクが切欠凹部から抜け出ることを防止するために、切欠凹部の開口部を塞いでフック本体に配置された抜け止め部材と、を含んで構成されたものとなっており、リンクを切欠凹部に挿入係止することによってループ状となった吊りチェーンにより、仮設物の吊り下げが行われる。
【０００３】
そして、下記の特許文献１及び特許文献２に示されている吊りチェーンのフックでは、上述の抜け止め部材が線材の折り曲げで形成されており、そして、フック本体における切欠凹部の両側はフック本体の主部と副部とになっており、これらの主部と副部のうち、主部に形成された孔に、線材の折り曲げ品となっている抜け止め部材の両端部が回動中心部となって回動自在に挿入されているとともに、抜け止め部材の一部が、この抜け止め部材のばね特性により切欠凹部を形成している副部の内面に弾性的に当接する当接部となっている。
【０００４】
吊りチェーンをループ状とするために切欠凹部に吊りチェーンのリンクを挿入係止するときには、このリンクで抜け止め部材を押圧することにより、この抜け止め部材が上述の回動中心部を中心に回動してリンクが切欠凹部に挿入係止される。リンクが切欠凹部に挿入係止された後に、何らかの理由により、切欠凹部から抜け出そうとする脱出力がリンクに作用した場合には、このリンクは抜け止め部材に当たり、この抜け止め部材の上述の当接部は、フック本体の切欠凹部を形成している副部の内面に当接しているため、リンクが切欠凹部から抜け出すことは抜け止め部材によって防止される。
【先行技術文献】
【特許文献】
【０００５】
【特許文献１】特開２０００−１０４３９９号公報
【特許文献２】特開２００４−２４５３９６号公報
【発明の概要】
【発明が解決しようとする課題】
【０００６】
このように切欠凹部から抜け出そうとする脱出力がリンクに作用した場合において、このリンクが切欠凹部から抜け出すことはリンクが抜け止め部材に当たることによって防止されるため、この抜け出しを確実に防止できるようにするためには、線材の折り曲げで形成されている抜け止め部材に、上述の脱出力に基づくリンクからの大きな荷重が作用しても、この抜け止め部材が屈曲、座屈等の変形をすることがないように、抜け止め部材に充分に大きな強度を付与することが求められる。
【０００７】
本発明の目的は、線材の折り曲げで形成されている抜け止め部材に、切欠凹部からのリンクの抜け出しを防止できる充分に大きな強度を付与できる仮設物用吊りチェーンのフックを提供するところにある。
【課題を解決するための手段】
【０００８】
本発明に係る仮設物用吊りチェーンのフックは、仮設物を吊るための吊りチェーンに設けられたフック本体と、このフック本体に、前記吊りチェーンのリンクを挿入係止するために形成された切欠凹部と、この切欠凹部に挿入係止された前記リンクが前記切欠凹部から抜け出ることを防止するために、前記切欠凹部の開口部を塞いで前記フック本体に配置された抜け止め部材と、を含んで構成された仮設物用吊りチェーンのフックであって、前記切欠凹部の両側が前記フック本体の主部と副部とになっており、前記主部に形成された孔に、線材の折り曲げで形成された前記抜け止め部材の両端部が回動中心部となって回動自在に挿入されているとともに、前記抜け止め部材の一部が、この抜け止め部材のばね特性により前記切欠凹部を形成している前記副部の内面に弾性的に当接する当接部となっている仮設物用吊りチェーンのフックにおいて、前記抜け止め部材における前記当接部から前記回動中心部の側へ延びている延出部が、前記切欠凹部に挿入係止された前記リンクがこの切欠凹部から抜け出ようとして前記抜け止め部材に当たった際に引っ張り力が作用する部分となっていることを特徴とするものである。
【０００９】
この仮設物用吊りチェーンのフックでは、抜け止め部材における当接部から回動中心部の側へ延びている延出部が、切欠凹部に挿入係止されたリンクがこの切欠凹部から抜け出ようとして抜け止め部材に当たった際に引っ張り力が作用する部分となっており、そして、抜け止め部材の材料である線材は、もともと引っ張り力に対する大きな強度を備えているため、線材の折り曲げで形成されている抜け止め部材に、切欠凹部から抜け出ようとするリンクからの大きな荷重が作用しても、この荷重は、延出部において引っ張り力として抜け止め部材に作用するため、この抜け止め部材は屈曲や座屈等の変形をすることがなく、これにより、抜け止め部材に、切欠凹部からのリンクの抜け出しを防止できる充分に大きな強度を付与することができる。
【００１０】
本発明において、以上のように抜け止め部材における当接部から回動中心部の側へ延びている延出部が、切欠凹部に挿入係止されたリンクがこの切欠凹部から抜け出ようとして抜け止め部材に当たった際に引っ張り力が作用する部分となっていれば、この延出部は種々の形状のものでよく、その一例の延出部は、当接部から副部の外側へ向かって直線状又は略直線状に延びているものである。
【００１１】
これによると、延出部は、当接部から前述の副部の外側へ向かって直線状又は略直線状に延びている部分となっているため、延出部に作用する上述の引っ張り力は、この延出部の形状に沿って有効に作用することになり、これにより、抜け止め部材は、切欠凹部からのリンクの抜け出しを防止できる一層充分に大きな強度を備えることになる。
【００１２】
また、本発明において、抜け止め部材における延出部が上述の引っ張り力が作用する部分となっていれば、抜け止め部材における他の部分の形状は、任意な形状でよい。
【００１３】
その一例は、延出部と上述の回動中心部との間に、湾曲したアーチ形状部を設け、このアーチ形状部を切欠凹部の内側へ湾曲突出した部分とすることである。
【００１４】
これによると、切欠凹部に挿入係止されたリンクがこの切欠凹部から抜け出ようとして抜け止め部材のアーチ形状部に当たったときには、このアーチ形状部は切欠凹部の内側へ湾曲突出した部分となっているため、アーチ形状部のアーチ効果により、切欠凹部から抜け出ようとするリンクからの荷重が有効に支持されることになり、これにより、抜け止め部材は、屈曲、座屈等の変形をすることなく、リンクの切欠凹部からの抜け出しを有効に防止することになる。
【００１５】
このように延出部と回動中心部との間に、切欠凹部の内側へ湾曲突出したアーチ形状部を設ける場合には、延出部と回動中心部との間の全部を、延出部とアーチ形状部との接続部及びアーチ形状部と回動中心部との接続部を除き、アーチ形状部とすることが好ましい。
【００１６】
これによると、延出部や回動中心部等を除き、抜け止め部材の大部分をアーチ形状とすることができるため、切欠凹部から抜け出ようとするリンクからの荷重をアーチ効果によって有効に支持することができる抜け止め部材の部分を大きくすることができる。
【００１７】
また、本発明において、延出部を、前述のフック本体の厚さ方向の両側に設け、２個の延出部同士を、前述の副部を間に挟んで互いに対面させることが好ましい。
【００１８】
これによると、副部の厚さ方向両側に２個の延出部があるため、抜け止め部材がフック本体の厚さ方向のどちらの側へずれても、２個の延出部のうち、１個の延出部が副部に当接するため、抜け止め部材がフック本体の厚さ方向に大きくずれることを防止でき、これにより、抜け止め部材の前述の当接部を、抜け止め部材のばね特性により、切欠凹部を形成している副部の内面に通常時に当接させる状態を確保できることになる。
【００１９】
以上説明した本発明に係る吊りチェーンにおいて、フックは、吊りチェーンのそれぞれの端部に設けられてもよく、あるいは、吊りチェーンの一方の端部だけに設けられてもよく、あるいは、吊りチェーンの長さの途中に設けられてよい。
【００２０】
また、本発明に係る吊りチェーンにより吊られる仮設物は、建築作業現場等で構築される仮設足場の構成部材となるものでもよく、あるいは、仮設足場を構築するために用いる資材や装置、工具でもよく、あるいは、仮設足場と直接関係しない仮設物でもよい。
【００２１】
さらに、本発明に係る吊りチェーンは、仮設足場等を構築する作業のために用いてよく、あるいは、構築後の仮設足場等のために用いてもよい。
【発明の効果】
【００２２】
本発明によると、線材の折り曲げで形成されている抜け止め部材に、切欠凹部からのリンクの抜け出しを防止できる充分に大きな強度を付与できるという効果を得られる。
【図面の簡単な説明】
【００２３】
【図１】図１は、本発明の一実施形態に係る吊りチェーンにより仮設物の吊り下げを行っている状態を示す図である。
【図２】図２は、吊りチェーンに設けられているフックの部分の斜視図である。
【図３】図３は、フックの部分の正面図である。
【図４】図４は、フックの部分の側面図である。
【図５】図５は、吊りチェーンのリンクをフック本体の切欠凹部に挿入係止するときの最初の状態を示す正面図である。
【図６】図６は、吊りチェーンのリンクをフック本体の切欠凹部に挿入係止している途中の状態を示す正面図である。
【図７】図７は、吊りチェーンのリンクをフック本体の切欠凹部に挿入係止し終えたときの状態を示す正面図である。
【図８】図８は、リンクに切欠凹部からの脱出力が作用しているときを示す正面図であって、リンクからの荷重が抜け止め部材の延出部に近い箇所に作用している場合を示す正面図である。
【図９】図９は、リンクに切欠凹部からの脱出力が作用しているときを示す正面図であって、リンクからの荷重が抜け止め部材のアーチ形状部に作用している場合を示す正面図である。
【発明を実施するための形態】
【００２４】
以下に本発明を実施するための形態を図面に基づいて説明する。図１には、本実施形態に係る吊りチェーン１０にループ部１０Ａが形成され、このループ部１０Ａにより、建築中の建築物の躯体１に、仮設足場のための仮設物となっているパイプ材２を吊り下げた状態が示されている。吊りチェーン１０は、多数のリンク１１を連鎖状に連結することにより形成されており、それぞれのリンク１１は、太径の線材を略小判形状に湾曲加工した後に両端を溶接接合することによって形成されている。吊りチェーン１０のそれぞれの端部にはフック１２が設けられ、これらのフック１２のうち、１個のフック１２と、多数のリンク１１のうち、吊りチェーン１０の長さ方向の途中のリンク１１Ａとを連結することにより、吊りチェーン１０に上述のループ部１０Ａが形成されている。
【００２５】
図２には、吊りチェーン１０のうち、フック１２の部分の拡大斜視図が示されており、図３には、このフック１２の部分の正面図が示されている。フック１２は、フック本体１３に抜け止め部材２０を取り付けたものとなっている。フック本体１３は、板金の打ち抜き品であり、抜け止め部材２０は、細径の線材の折り曲げ品である。
【００２６】
フック本体１３には、リンク１１を挿入係止するための切欠凹部１４が形成され、この切欠凹部１４の両側は、フック本体１３の主部１５と副部１６とになっており、これらの主部１５と副部１６は、切欠凹部１４の閉塞部を形成している塞ぎ部１７により連結されている。また、主部１５には、塞ぎ部１７とは反対側において、副部１６の先端１６Ａと対向する側へ突出している突出部１５Ａが設けられ、この突出部１５Ａと副部１６との間が、切欠凹部１４の開口部１４Ａとなっている。したがって、切欠凹部１４は、この開口部１４Ａにおいて、フック本体１３の外部と連通している。
【００２７】
また、主部１５には、大径の１個の孔１８が形成され、この孔１８に、吊りチェーン１０を構成している多数のリンク１１のうち、吊りチェーン１０の長さ方向の端部のリンク１１Ｂが挿入連結されている。また、突出部１５Ａには、小径の２個の孔１９Ａ，１９Ｂが形成されている。
【００２８】
図４には、吊りチェーン１０のうち、フック１２の部分の側面図が示されている。２個の孔１９Ａ，１９Ｂには、線材の折り曲げで形成されている抜け止め部材２０の両端の屈曲端部２０Ａ、２０Ｂが回動自在に挿入されている。このため、抜け止め部材２０は、フック本体１３に対して、屈曲端部２０Ａ，２０Ｂを中心に回動自在となっており、これらの屈曲端部２０Ａ，２０Ｂは、抜け止め部材２０の回動中心部となっている。そして、抜け止め部材２０における屈曲端部２０Ａ，２０Ｂとは反対側の部分は、図２及び図３に示されているように、切欠凹部１４を形成している副部１６の内面１６Ｂに当接する当接部２０Ｃとなっている（図４も参照）。
【００２９】
屈曲端部２０Ａ，２０Ｂが２個の孔１９Ａ，１９Ｂに挿入される前におけるこれらの屈曲端部２０Ａ，２０Ｂの自然状態での間隔は、２個の孔１９Ａ，１９Ｂの間隔よりも大きくなっている。このため、屈曲端部２０Ａ，２０Ｂが孔１９Ａ，１９Ｂに挿入されることにより、抜け止め部材２０には、この抜け止め部材２０の材料となっている線材が捻られることにより、屈曲端部２０Ａ，２０Ｂを中心として、当接部２０Ｃを、切欠凹部１４を形成している副部１６の内面１６Ｂに弾性的に当接させるためのばね力のばね特性が生ずることになる。そして、このように当接部２０Ｃが内面１６Ｂに弾性的に当接することにより、切欠凹部１４の開口部１４Ａは、抜け止め部材２０によって塞がれることになる。
【００３０】
図２及び図３に示されているように、抜け止め部材２０における当接部２０Ｃから両方の屈曲端部２０Ａ，２０Ｂの側へ延びている部分は、抜け止め部材２０における２個の延出部２０Ｄ（図４も参照）となっており、副部１６の厚さ方向の両側に設けられているこれらの延出部２０Ｄは、図２及び図３から分かるように、当接部２０Ｃから副部１６の外側へ直線状又は略直線状に延びている。また、それぞれの延出部２０Ｄと両方の屈曲端部２０Ａ，２０Ｂとの間は、湾曲したアーチ形状部２０Ｅとなっており、これらのアーチ形状部２０Ｅは、当接部２０Ｃと、延出部２０Ｄとアーチ形状部２０Ｅとの接続部２０Ｆ（図２及び図３を参照）と、アーチ形状部２０Ｅと屈曲端部２０Ａ，２０Ｂとの接続部２０Ｇ（図４を参照）とを除いた抜け止め部材２０の大部分を占めている。
【００３１】
すなわち、本実施形態では、延出部２０Ｄと、抜け止め部材２０の回動中心部となっている屈曲端部２０Ａ，２０Ｂとの間の全部が、上述の接続部２０Ｆ、２０Ｇを除き、副部１６の厚さ方向の両側に設けられたアーチ形状部２０Ｅとなっている。また、接続部２０Ｆ，２０Ｇは、抜け止め部材２０における滑らかに湾曲した部分となっている。
【００３２】
また、アーチ形状部２０Ｅが湾曲突出している方向は、切欠凹部１４の内側の方向である。すなわち、アーチ形状部２０Ｅは、抜け止め部材２０における切欠凹部１４の内側へ湾曲突出した部分となっている。
【００３３】
図５〜図７には、吊りチェーン１０に図１で示したループ部１０Ａを形成するために、この吊りチェーン１０のリンク１１Ａをフック１２のフック本体１３に連結する作業、言い換えると、リンク１１Ａをフック本体１３の切欠凹部１４に挿入係止する作業が示されている。なお、リンク１１Ａをフック本体１３の切欠凹部１４に挿入係止する作業とは、リンク１１Ａの内側開口部にフック本体１３の副部１６を挿入し、この副部１６をリンク１１Ａの内側開口部に係止するための作業である。
【００３４】
リンク１１Ａをフック本体１３の切欠凹部１４に挿入係止する作業を行うためには、図５に示されているように、初めにリンク１１Ａの端部を、切欠凹部１４の開口部１４Ａを塞いでいる抜け止め部材２０に当てる。このとき、抜け止め部材２０の当接部２０Ｃが当接している副部１６の内面１６Ｂの箇所は、副部１６の先端１６Ａから前述した塞ぎ部１７の側へずれた箇所であるため、リンク１１Ａの端部を、抜け止め部材２０のアーチ形状部２０Ｅと副部１６とに載せた状態にして、リンク１１Ａの端部を抜け止め部材２０に当てることができる。
【００３５】
この後、図６に示されているように、リンク１１Ａを副部１６に沿って塞ぎ部１７の側へ移動させる作業を行い、この作業が行われると、抜け止め部材２０は、リンク１１Ａからの押圧荷重により、前述のばね特性のばね力に抗して、屈曲端部２０Ａ，２０Ｂを中心に当接部２０Ｃが副部１６の内面１６Ｂから離れる方向への回動を行い、そして、図７に示されているように、リンク１１Ａが抜け止め部材２０を通過して切欠凹部１４の端部に達すると、抜け止め部材２０は、ばね特性のばね力により、屈曲端部２０Ａ，２０Ｂを中心に上述とは逆方向に回動し、これにより、抜け止め部材２０の当接部２０Ｃは副部１６の内面１６Ｂに当接し、抜け止め部材２０は、再び切欠凹部１４の開口部１４Ａを塞ぐことになる。そして、このときには、リンク１１Ａがフック本体１３の切欠凹部１４に挿入係止されている。
【００３６】
なお、図５で説明したように、リンク１１Ａの端部を、切欠凹部１４の開口部１４Ａを塞いでいる抜け止め部材２０に当てる作業は、リンク１１Ａの端部を抜け止め部材２０のアーチ形状部２０Ｅに当てることにより行われ、このアーチ形状部２０Ｅは、切欠凹部１４の内側へ湾曲突出した形状となっているため、リンク１１Ａの端部を抜け止め部材２０に当てる作業は、リンク１１Ａの端部を、アーチ形状部２０Ｅの湾曲したアーチ形状分だけ切欠凹部１４の内側へ大きく侵入させて行えることになる。
【００３７】
このため、前述したようにリンク１１Ａの端部を、抜け止め部材２０のアーチ形状部２０Ｅと副部１６とに載せた状態にする作業を、容易に片手で行うことも可能となり、また、前述したようにリンク１１Ａを副部１６に沿って塞ぎ部１７の側へ移動させる作業も片手で行うことができ、これにより、リンク１１Ａをフック本体１３の切欠凹部１４に挿入係止する作業を容易に行うことができる。
【００３８】
図８は、何らかの理由により、上述のように切欠凹部１４に挿入係止されたリンク１１Ａに、このリンク１１Ａが切欠凹部１４から抜け出ようとする脱出力Ｆが作用した場合を示している。このときの切欠凹部１４の開口部１４Ａは、当接部２０Ｃがフック本体１３の副部１６の内面１６Ｂに当接している抜け止め部材２０によって塞がれているため、脱出力Ｆが作用しているリンク１１Ａは抜け止め部材２０に当たり、この抜け止め部材２０には、脱出力Ｆに基づく荷重が作用することになる。そして、この荷重は、抜け止め部材２０の当接部２０Ｃが当接している副部１６の内面１６Ｂで受けられるとともに、抜け止め部材２０の延出部２０Ｄには、引っ張り力として作用することになる。
【００３９】
この延出部２０Ｄは、抜け止め部材２０の材料である線材で形成されており、線材は、もともと引っ張りに対する大きな強度を有しているため、本実施形態によると、延出部２０Ｄを有している抜け止め部材２０は、上述の荷重による引っ張り力に対して充分に対抗することができ、屈曲、座屈等の変形をしない充分に大きな強度が付与されたものとなる。
【００４０】
また、延出部２０Ｄは、当接部２０Ｃから副部１６の外側へ向かって直線状又は略直線状に延びるものとなっており、この延び方向は、抜け止め部材２０に作用する荷重のもとになっている上述の脱出力Ｆの方向と平行又は略平行の方向であるため、上述の引っ張り力は、この延出部２０Ｄの形状に沿って有効に作用することになり、これにより、抜け止め部材２０は、切欠凹部１４からのリンク１１Ａの抜け出しを防止できる一層充分に大きな強度を備えたものとなっている。
【００４１】
以上説明した図８の場合は、脱出力Ｆが作用しているリンク１１Ａが、抜け止め部材２０における延出部２０Ｄに近い箇所に当たったときであり、これに対して図９は、脱出力Ｆが作用しているリンク１１Ａが、抜け止め部材２０におけるアーチ形状部２０Ｅに当たったときを示している。このときには、アーチ形状部２０Ｅに脱出力Ｆに基づく荷重が作用することになるが、このアーチ形状部２０Ｅは、切欠凹部１４の内側へ湾曲突出した形状となっているため、上述の荷重が、アーチ形状部２０Ｅの材料となっている前述の線材の延伸方向への軸力となって、この荷重は、アーチ形状部２０Ｅのアーチ効果によって有効に支持されることになり、これにより、抜け止め部材２０に屈曲、座屈等の変形が生ずることはなく、抜け止め部材２０は、脱出力Ｆに基づく大きな荷重を有効に支持できることになる。
【００４２】
さらに、アーチ形状部２０Ｅは、前述したように、抜け止め部材２０の大部分を占めており、このため、脱出力Ｆに基づく大きな荷重をアーチ効果により有効に支持することは、抜け止め部材２０の大部分において行うことができる。
【００４３】
また、本実施形態に係る抜け止め部材２０では、延出部２０Ｄとアーチ形状部２０Ｅがフック本体１３の厚さ方向の両側にあり、２個の延出部２０Ｄ同士は、フック本体１３の副部１６を間に挟んで互いに対面している。このため、抜け止め部材２０がフック本体１３の厚さ方向のどちらの側へずれても、２個の延出部２０Ｄのうち、１個の延出部２０Ｄが副部１６に当接するため、抜け止め部材２０がフック本体１３の厚さ方向に大きくずれることを防止でき、これにより、抜け止め部材２０の当接部２０Ｃを、ばね特性を有する抜け止め部材２０のばね力により、切欠凹部１４を形成している副部１６の内面１６Ｂに通常時に当接させる状態を確保できることになる。
【００４４】
なお、リンク１１Ａを切欠凹部１４から抜き取ることは、抜け止め部材２０を、前述の屈曲端部２０Ａ，２０Ｂを中心に当接部２０Ｃが副部１６の内面１６Ｂから離れる方向に回動させて、切欠凹部１４の開口部１４Ａを開放することにより行うことができる。
【産業上の利用可能性】
【００４５】
本発明は、仮設足場が構築される建築作業現場等において、仮設足場等のための仮設物を吊るための吊りチェーンに利用することができる。
【符号の説明】
【００４６】
１  建築物の躯体
２  仮設物であるパイプ材
１０  吊りチェーン
１１  リンク
１２  フック
１３  フック本体
１４  切欠凹部
１４Ａ  開口部
１５  主部
１６  副部
１６Ｂ  内面
２０  抜け止め部材
２０Ａ，２０Ｂ  回動中心部である屈曲端部
２０Ｃ  当接部
２０Ｄ  延出部
２０Ｅ  アーチ形状部
【図１】
2014001578.tif 000003
【図２】
2014001578.tif 000004
【図３】
2014001578.tif 000005
【図４】
2014001578.tif 000006
【図５】
2014001578.tif 000007
【図６】
2014001578.tif 000008
【図７】
2014001578.tif 000009
【図８】
2014001578.tif 000010
【図９】
2014001578.tif 000011